(57)【要約】【課題】折りたたみ後の体積縮小可能で携帯に便利な折りたたみ後体積の縮小可能な傘を提供する。【解決手段】中棒１０、折りたたみ可能な傘骨２０、及び傘布３０で構成される。傘骨２０は、上部巣１１、下部巣１２周縁に組みつけられ、頂骨２１ａの上端は上部巣１１外側に軸接続される。内支え骨２２の上端は下部巣１２外側に軸接続され、下端は中骨２３に、中段部分は頂骨２１ａの下端に軸接続される。連結骨２４ａの上端は頂骨２１ａの溝２１１内に軸接続され、下端は中骨２３の頂端に軸接続される。頂骨２１ａはＵ型の溝２１１を呈し、且つ溝２１１は内支え骨２２より幅広い。傘を折りたたんだ際、連結骨２４ａ、内支え骨２２下半分外側の部位、及び中骨２３の頂端部分の体積は、頂骨２１ａの溝２１１の内側に収まり、内側が外側を包む設計を形成している。上部巣１１周縁に更に接近し、傘を折りたたんだ後の体積を縮小する。【選択図】  図４
0003117383.tif 000002
【実用新案登録請求の範囲】
【請求項１】
折りたたみ後の体積縮小が可能な傘であって、
中棒の頂端には上部巣が固定されており、棒体上には上下にすべり移動可能な下部巣が被せられ、
傘骨は上部巣、下部巣周縁に組みつけられ、折りたたみ可能であり、少なくとも幾つかの頂骨、内支え骨、中骨及び連結骨を含み、
傘布は、傘骨の頂面にミシン縫いされ、
頂骨はＵ型の溝を呈しており、且つその溝は内支え骨より幅広く、傘を折りたたんだ際、連結骨及び内支え骨下半分、及び中骨の頂端部分の体積は、頂骨の溝の内側に折りたたまれ収まり、上部巣周縁に更に接近可能であり、傘を折りたたんだ後の体積が縮小されることを特徴とする折りたたみ後体積の縮小可能な傘。
【請求項２】
頂骨上端は上部巣の位置に接近し、比較的幅広い拡大部を呈し、相対する位置の中骨の軸接続体を折りたたんだ際その内側に収めることが可能であることを特徴とする請求項１記載の折りたたみ後体積の縮小可能な傘。
【請求項３】
頂骨下端は内支え骨中段部分の両側に軸接続されており、内支え骨下半分は折りたたんだ際頂骨の溝内に収めることが可能であることを特徴とする請求項１記載の折りたたみ後体積の縮小可能な傘。
【請求項４】
連結骨と中骨の軸接続される一端は、彎曲弧形状を呈していることを特徴とする請求項１記載の折りたたみ後体積の縮小可能な傘。
【請求項５】
中骨の下端は軸接続される尾骨を含むことを特徴とする請求項１記載の折りたたみ後体積の縮小可能な傘。
【考案の詳細な説明】
【技術分野】
【０００１】
本考案は、傘の構造改良に関し、特に内側が外側を包む傘骨構造に関する。
【背景技術】
【０００２】
傘は私たちの日常生活の中で非常に重要な用品であり、降雨時には雨を避け、日射時には陽を遮ることが可能で、私たちの生活と密接に係りを持っている。
傘は私たちの日常生活と密接に係りを持っていても、常時使用しているわけではなく、降雨の無い時或いは太陽の出ていない時、私たちは１本の傘を携帯することに一種の負担或いは不便を覚えることがある。よって、折りたたみ傘が必要に応じ生まれ、それは３節或いは４節であり、折りたたんだ後携帯に便利で、その便利度を確実に有している。
【０００３】
図１から図３に示すように従来の折りたたみ傘の主要構造は中棒１０、上部巣１１及び下部巣１２を含む。このほか、上部巣１１、下部巣１２に連接される傘骨２０は、多数の頂骨２１、内支え骨２２、中骨２３、連結骨２４及び尾骨２５等から組成されている。
上述の従来の折りたたみ傘は、傘骨２０構造中の頂骨２１は、上端が上部巣１１に軸接続され、下端は即ち内支え骨２２の中段部分に軸接続される。頂骨２１は内支え骨２２に較べて細く狭い。
【考案の開示】
【考案が解決しようとする課題】
【０００４】
しかしながら、図２、図３の示すように、折りたたんだ後、連結骨２４のその内端が頂骨２１上に軸接続されているため、内支え骨２２が上部巣１１に近づくことを阻止しており、従って折りたたんだ後の傘骨は、最も外囲の傘布３０を含めてやや大きな体積のままとなっており、従って、改善の余地が存在していた。
【０００５】
したがって本考案の目的は、従来の折りたたみ傘の欠点を改良することにある。折りたたみ後の体積縮小可能な傘を提供し、以って限られた空間を無駄にせずまた携帯するのに便利な効能を増進することにある。
【課題を解決するための手段】
【０００６】
上述の目的を達成するために本考案の請求項に記載の折りたたみ後体積の縮小可能な傘は、中棒、折りたたみ可能な傘骨、及び傘布で構成される。その特徴は、傘骨の頂骨はＵ型の溝を呈していて、且つその溝は内支え骨より幅広く、傘を折りたたんだ際、連結骨、内支え骨下半分、及び中骨の頂端部分の体積は頂骨の溝の内側に折りたたまれ収まり、上部巣周縁に更に接近し、以って傘を折りたたんだ後の体積を縮小する。従って、従来の「外側が内側に近づく」傘骨の形態を改め、「内側が外側を包む」頂骨溝設計とすることで、傘の直径を５ｍｍから７ｍｍ縮小することが可能で、より精巧で携帯に便利となった。
【考案を実施するための最良の形態】
【０００７】
以下、本考案の実施例を図面に基づいて説明する。
図４から図６に示すように、本考案の実施例による折りたたみ後体積の縮小可能な傘は以下のものを含む。
中棒１０は、その頂端には上部巣１１が固定され、また下部巣１２が中棒１０に被せられ、上下にすべり動くことが可能である。上部のスタート位置に到達した際、支持ばね片１３により位置決めされる。以上の構成部品は皆従来の技術であり、割愛する。
【０００８】
傘骨２０は、上部巣１１、下部巣１２周縁に組みつけられ、折りたたむことが可能で、それは少なくとも以下のものを含む。
幾つかの頂骨２１ａは、その上端は上部巣１１外側に軸接続される。
幾つかの内支え骨２２は、その上端は下部巣１２外側に軸接続され、下端は中骨２３に軸接続され、またその中段部分は即ち頂骨２１ａの下端に軸接続されている。
連結骨２４ａは、その上端は頂骨２１ａの溝２１１内に軸接続され、下端は即ち中骨２３の頂端に軸接続されている。
【０００９】
このほか、傘骨２０頂面には傘布３０がミシン縫いされ、本実施例においては傘骨２０は傘布３０によって遮断されていない。よって図４、図５中では全て省略されており、図６図中では仮想線で以って表示されている。
上述の構成により、本創作の傘骨２０は折りたたんだ状態（図６に示す）を呈することが可能で、或いは開いた状態（図４に示す）を呈することが可能である。これらの折りたたみ構造は皆従来の原理及び運用であり、本創作の目的ではないため、割愛する。
【００１０】
本考案の実施例による折りたたみ後体積の縮小可能な傘の主要な特徴は以下の通りである。
頂骨２１ａはＵ型の溝２１１を呈し、且つ溝２１１は内支え骨２２より幅広い。傘を折りたたんだ際、連結骨２４ａ、内支え骨２２下半分外側の部位、及び中骨２３の頂端部分の体積は、頂骨２１ａの溝２１１の内側に折りたたまれ収まり、内側が外側を包む設計を形成している。従って、図６に示すように、傘骨２０全体を折りたたんだ際、上部巣１１に非常に接近することが可能である。以ってその体積は図３に示す従来の傘を折りたたんだ際と比較し、直径を約５〜７ｍｍ縮小することが可能となり、全体をより小さく且つ携帯に便利なものとしている。
更に、本実施例による傘骨２０は３節だが、４節或いは更に多くすることも可能である。即ち図５に示すように、中骨２３の下端に尾骨２５が軸接続されているものを含んでいればよく、但しこれを限定しない。
【００１１】
本実施例による頂骨２１ａ上端は上部巣１１の位置に接近しており、比較的幅広い拡大部２１２を設けることが可能で、相対する位置の中骨２３の軸接続体２３１を、折りたたんだ際その内側に収めることが可能である。中骨２３は頂骨２１ａの溝２１１内に深く入ることが可能で、更に上部巣１１に接近する。
このほか、頂骨２１ａ下端２１３は内支え骨２２中段部分の両側に軸接続されており、従って、内支え骨２２下半分は折りたたんだ際、頂骨２１ａの溝２１１内に収まることが可能で、以って折りたたみ後の体積を縮小する本創作の目的を達成することに役立つ。
【００１２】
また、連結骨２４ａの中骨２３と軸接続される一端は、傘の形態に応じ、大小の彎曲弧２４１形状を設け有することが可能で、これにより連結骨２４ａ及び中骨２３は更に溝２１１底部に接近することが可能となる。以って折りたたみ後の体積を縮小する目的を達成することに役立つ。
本考案の実施例は「内側が外側を包む」傘溝設計を創造することで以って、従来の「外側が内側に近づく」骨構造を改め、並びに全体に巧みな思考を組み合せることで、体積の縮小に確実に到達する効果を更に高める。
【００１３】
上述したことを総合し、本実施例に掲げる構造は、従来は無かったものであり、且つ目的に確実に到達可能な効果を有し、並びに産業利用性を備えている。
ただ、上述の掲載した図式、説明は、僅かに本創作の比較的優れた実施例のためだけのものであり、本項技術に精通している人ならば、本案の精神の範疇に依り作られる修飾或いは同等の変化については、依然本案範囲内に含むべきである。
【図面の簡単な説明】
【００１４】
【図１】従来の折りたたみ傘を開いた際の部分構造を示す図である。
【図２】従来の折りたたみ傘を折りたたんだ際の部分構造を示す図である。
【図３】従来の折りたたみ傘を折りたたんだ後を上から見た図である。
【図４】本考案の実施例による折りたたみ後体積の縮小可能な傘を開いた際の部分構造を示す図である。
【図５】本考案の実施例による折りたたみ後体積の縮小可能な傘を折りたたんだ際の部分構造を示す図である。
【図６】本考案の実施例による折りたたみ後体積の縮小可能な傘を折りたたんだ後を上から見た図である。
【符号の説明】
【００１５】
１０  中棒、１１  上部巣、１２  下部巣、１３  支持ばね片、２０  傘骨、２１ａ  頂骨、２１１  溝、２１２  拡大部、２１３  下端、２２  内支え骨、２３  中骨、２３１  軸接続体、２４ａ  連結骨、２４１  彎曲弧、２５  尾骨、３０  傘布
【図１】
0003117383.tif 000003
【図２】
0003117383.tif 000004
【図３】
0003117383.tif 000005
【図４】
0003117383.tif 000006
【図５】
0003117383.tif 000007
【図６】
0003117383.tif 000008